(57)【要約】【課題】本発明は、運転の模擬の対象として運転模擬装置に組み込まれる自動車、オートバイ等の実車の操舵系に対するその模擬に応じた操舵反力の伝達に供される車輪代替部材、操舵反力伝達部材および操舵反力伝達装置に関し、模擬の対象となる車両に施されるべき改造の大幅な軽減が図られ、かつ多様な車種に対する柔軟な適応を可能とすることを目的とする。【解決手段】自動車の車輪に代えて前記自動車に取付可能に構成され、かつ前記自動車に関して模擬された操舵反力を前記車輪の軸に与えることによって構成される。【選択図】図１
2012215517.tif 000002
【特許請求の範囲】
【請求項１】
自動車の車輪に代えて前記自動車に取付可能に構成され、かつ前記自動車に関して模擬された操舵反力を前記車輪の軸に与える
ことを特徴とする車輪代替部材。
【請求項２】
自動車の車輪に代えて前記自動車に取付可能に構成された車輪代替部材に、前記自動車に関して模擬された操舵反力を伝達する
ことを特徴とする操舵反力伝達部材。
【請求項３】
自動車の車輪に前記自動車に関して模擬された操舵反力を伝達する
ことを特徴とする操舵反力伝達部材。
【請求項４】
自動車の車輪に代えて前記自動車に取付可能に構成された車輪代替手段と、
前記自動車に関して模擬された操舵反力を前記車輪代替手段に伝達する伝達手段と
を備えたことを特徴とする操舵反力伝達装置。
【請求項５】
自動車のステアリングの軸の回動に応じた前記自動車の車輪の動きを解除するステアリング解除手段と、
前記自動車に関して模擬された操舵反力を前記ステアリングの軸に伝達する伝達手段と
を備えたことを特徴とする操舵反力伝達装置。
【請求項６】
自動車のステアリングの軸に応じた前記自動車の車輪の動きを解放する車輪解放手段と、
前記自動車に関して模擬された操舵反力を前記ステアリングの軸に伝達する伝達手段と
を備えたことを特徴とする操舵反力伝達装置。
【発明の詳細な説明】
【技術分野】
【０００１】
本発明は、運転の模擬の対象として運転模擬装置に組み込まれる自動車、オートバイ等の操舵系に対するその模擬に応じた操舵反力の伝達に供される車輪代替部材、操舵反力伝達部材および操舵反力伝達装置に関する。
【背景技術】
【０００２】
近年、高速のコンピュータと高度に進展した情報処理技術との組み合わせにより実現されるシミュレーション技術は、以下のような多様な分野に適したドライビングシミュレータやライディングシミュレータ（以下、これらを「運転模擬装置」という。）に積極的に適用されている。
【０００３】
(1) 本物に忠実な挙動が実現されることにより利用者に運転の経験や楽しみを与えるアミューズメント
(2) 運転技術（地域性、コスト、危険性等により実現が難しい道路状況等の模擬による多様な運転技術の習得および上達と、交通ルールの習得とを含む。）のトレーニング（検定等に用いられるものを含む。）
(3) 道路等の交通インフラや自動車の開発に必要なデータの収集および確認のために行われる学術研究
【０００４】
このような運転模擬装置では、運転の模擬の対象となる車両の本物らしさの安価かつ確実な実現のために、本物の車両が組み込まれる場合が多く、このような車両の容易な選択や交換が可能であることが強く要望されつつある。
【０００５】
図７は、従来の運転模擬装置の構成例を示す図である。
図において、運転の模擬の対象として選択された自動車７１は、その自動車７１が積載されて固定されるフレーム７２を介して揺動装置７３に取り付けられる。
【０００６】
自動車７１の内部では、図８(ａ)にハンチングを付して示すように、パワーステアリング７１ＰＳにそのステアリングホイール７１ＳＨの操舵角を伝達するロッド７１Ｒが、図８(ｂ)に示す操舵反力発生装置７１Ｄの出力に、パワーステアリング７１ＰＳに代えて連結される。なお、パワーステアリング７１ＰＳには、自動車７１の左右の車輪がそれぞれ取り付けられるハブ７１Ｈ-1、７１ｈ-2がラックアンドピニオン７１ＲＰを介して連結される。
【０００７】
このような構成の運転模擬装置は、図示されないセンサおよびコンピュータの連係の下で自動車７１の運転（ステアリングハンドル７１ＳＨだけではなく、図示されないアクセルペダル、ブレーキペダル、シフトレバー等の操作）に応じた操作を検知し、その運転の模擬の結果として生成される多様な制御情報や制御信号に応じて、例えば、以下のように応答する。
【０００８】
(1) 図示されないスクリーンに対する車窓の外の景色等の表示
(2) 図示されないスピーカによる擬似的な走行音や衝突音の出力
(3) 揺動装置７３を介する自動車７１の姿勢の設定や変更とその自動車７１への加振
(4) 上記操舵反力発生装置７１Ｄによって発生され、かつロッド７１Ｒを介してステアリングホイール７１ＳＨに伝達される操舵反力の設定および変更
【０００９】
したがって、運転模擬装置を利用するユーザは、そのユーザが行った運転および操作に応じた自動車７１の挙動をリアルに体験することができる。
【００１０】
なお、本発明に関連した従来例としては、以下に列記する特許文献１ないし特許文献４があった。
(1) 「本体にサスペンションとステアリング装置を介して取り付けられる左右車輪を有する台車を、支持機構によって支持する車両用シミュレーション装置において、その支持機構は前記左右車輪が載置される載置面を有し、前記ステアリング装置の操舵反力に相関する負荷を、その載置面上の左右車輪に個別に付与可能な負荷付与機構が設けられ、その負荷付与機構により付与される負荷の大きさと方向が変更可能とされる」ことにより、「ステアリング装置の開発コストおよび工数の低減に寄与できる」点に特徴がある車両用シミュレーション装置…特許文献１
【００１１】
(2) 「模擬二輪車に対して乗員が行う操縦操作に基づいて模擬二輪車の姿勢を変化させ、実際の二輪車の挙動を再現するライディングシミュレーション装置において、車長方向に長手のロール軸の軸線回りに回動自在なブラケットを設け、模擬二輪車の車体を該ブラケットに、車幅方向に長手のピッチ軸の軸線回りに揺動自在に保持させると共に、車体の前端部に取り付けられハンドルを回動自在に保持するハンドル軸に、上記操縦操作により決定される操舵反力でハンドル軸の回動を制動する可変制動手段を備える」ことにより、「ロール運動の他にピッチ運動を再現すると共に、シミュレーションされる走行状態に応じて操舵反力が変化するので従来のものより、より実車の走行感覚を再現できる」点に特徴がある二輪車のライディングシミュレータ…特許文献２
【００１２】
(3) 「操舵反力を得るために油圧によらず電気（直流）モータを使用し、油圧シリンダに相当する機構にも歯車等の分解能を低下させる機器は除外し、また位置の検出も分解能に合致したものを使用すると共に操舵感模擬コントローラを所定のディジタル演算を行う」ことにより、「小形化され低コストで、模擬の忠実度が向上する」点に特徴がある二輪車のライディングシミュレーション装置…特許文献３
【００１３】
(4) 「ステアリングホィール及びステアリングシャフトを有する操舵機構と、ステアリングホィールの操舵時に操作反力を与える反力発生機構とを備える模擬ステアリング装置において、前記反力発生機構は、前記ステアリングシャフトに連結された一対の回転体及びこれら一対の回転体に巻き掛けられた無端部材を有する無端回転機構と、前記無端部材と係合可能な一対の重量体とを備える」ことにより、「実車の操舵感を得ることができると共に操舵角度を変えることができ、しかも、耐久性がある」点に特徴がある模擬ステアリング装置…特許文献４
【先行技術文献】
【特許文献】
【００１４】
【特許文献１】特開２０００−１９０７７号公報
【特許文献２】特開平６−０５１６９５号公報
【特許文献３】特公平７−１１１６１３号公報
【特許文献４】特開平８−１７３６２９号公報
【発明の概要】
【発明が解決しようとする課題】
【００１５】
ところで、上述した従来例では、ステアリングホイール７１ＳＨに対する既述の操舵反力の伝達のために、自動車７１の内部には以下の改造が施されなければならなかった。
(1) ロッド７１Ｒとパワーステアリング７１ＰＳとの間における連結の解除
(2) エンジンルームに対する操舵反力発生装置７１Ｄの取り付け
(3) その操舵反力発生装置７１Ｄの出力とロッド７１Ｒとの連結
【００１６】
しかし、このような改造は、エンジンルーム内にある自動車７１の操舵機構の主要部に対して行われるために、多くの工数を要し、その自動車７１のエンジンルームに上記操舵反力発生装置７１Ｄの設置に必要なスペースが確保できない場合には実現できなかった。
【００１７】
したがって、従来例では、運転の模擬の対象として採用可能な自動車の機種と、コストの上限とによって実現性が阻まれる可能性が高かった。
【００１８】
本発明は、模擬の対象となる車両に施されるべき改造の大幅な軽減が図られ、かつ多様な車種に対する柔軟な適応を可能とする車輪代替部材、操舵反力伝達部材および操舵反力伝達装置を提供することを目的とする。
【課題を解決するための手段】
【００１９】
請求項１に記載の発明では、自動車の車輪に代えて前記自動車に取付可能に構成され、かつ前記自動車に関して模擬された操舵反力を前記車輪の軸に与える。
【００２０】
すなわち、上記操舵反力は、自動車の車輪に代えて取り付けられ、かつ本発明に係る車輪代替部材を介してその自動車の操舵系に伝達される。
【００２１】
請求項２に記載の発明では、自動車の車輪に代えて前記自動車に取付可能に構成された車輪代替部材に、前記自動車に関して模擬された操舵反力を伝達する。
【００２２】
すなわち、上記操舵反力は、その操舵反力の発生源の位置の如何にかかわらず、自動車の車輪に代えて取り付けられた車輪代替部材を介してその自動車の操舵系に伝達される。
【００２３】
請求項３に記載の発明では、自動車の車輪に前記自動車に関して模擬された操舵反力を伝達する。
【００２４】
すなわち、上記操舵反力は、自動車の車輪が取り外されることなくその車輪を介して操舵系に伝達される。
【００２５】
請求項４に記載の発明では、車輪代替手段は、自動車の車輪に代えて前記自動車に取付可能に構成される。伝達手段は、前記自動車に関して模擬された操舵反力を前記車輪代替手段に伝達する。
【００２６】
すなわち、上記操舵反力は、その操舵反力の発生源の位置の如何にかかわらず、自動車の車輪に代えて取り付けられた車輪代替部材を介してその自動車の操舵系に伝達される。
【００２７】
請求項５に記載の発明では、ステアリング解除手段は、自動車のステアリングの軸の回動に応じた前記自動車の車輪の動きを解除する。伝達手段は、前記自動車に関して模擬された操舵反力を前記ステアリングの軸に伝達する。
【００２８】
すなわち、上記操舵反力は、自動車のステアリングの軸の回動に応じてその自動車の車輪が動くことによる目減りや誤差を伴うことなく、このステアリングの軸に直接伝達される。
【００２９】
請求項６に記載の発明では、車輪解放手段は、自動車のステアリングの軸に応じた前記自動車の車輪の動きを解放する。伝達手段は、前記自動車に関して模擬された操舵反力を前記ステアリングの軸に伝達する。
【００３０】
すなわち、上記操舵反力は、自動車のステアリングと車輪との間における機械的な結合が解除されない状態であっても、そのステアリングの軸の回動に応じて車輪が動くことによる大幅な目減りや誤差を伴うことなく、このステアリングの軸に直接伝達される。
【発明の効果】
【００３１】
本発明によれば、操舵反力の伝達は、自動車の内部に大幅な改造が施されることなく、その自動車の多様な形状、構造、寸法等に柔軟に適応して安価にかつ効率的に実現される。
さらに、本発明によれば、操舵反力の伝達は、自動車の内部と外部との双方に改造が施されることなく、安価に、かつ効率的にまたは精度よく実現される。
したがって、本発明が適用された運転模擬装置は、多様な車種の自動車に対して柔軟に適応可能となり、かつ低廉化に併せて、性能および信頼性が高められる。
【図面の簡単な説明】
【００３２】
【図１】本発明の第一の実施形態を示す図である。
【図２】本実施形態の構成の他の態様を示す図（１）である。
【図３】本実施形態の構成の他の態様を示す図（２）である。
【図４】本実施形態の構成の他の態様を示す図（３）である。
【００３３】
【図５】本実施形態の第二の実施形態を示す図（４）である。
【図６】本発明の二輪車に対する適用例を示す図である。
【図７】従来の運転模擬装置の構成例を示す図である。
【図８】従来例において自動車に施される改造を説明する図である。
【発明を実施するための形態】
【００３４】
以下、図面に基づいて本発明の実施形態について詳細に説明する。
〔第一の実施形態〕
図１は、本発明の第一の実施形態を示す図である。
図において、図７および図８(ａ)に示すものと機能および構成が同じものについては、同じ符号を付与し、ここでは、その説明を省略する。
【００３５】
本実施形態と、図７および図８に示す従来例との構成の相違点は、以下の点にある。
(1) ステアリングホイール７１ＳＨとロッド７１Ｒとの連結を解除する改造が施されない。
(2) ハブ７１Ｈ-1、７１Ｈ-2に取り付けられる２つの車輪（図示されない。）に代えて、車輪代替部材１１-1、１１-2がそれぞれ取り付けられる。
【００３６】
(3) 自動車７１の車体（シャーシ）とフレーム７２とで挟まれた空間、またはそのフレーム７２の空洞部の所定の箇所にサーボモータ１２が配置される。
(4) そのサーボモータ１２の回動軸には、棒状体の伝達部材１３-1、１３-2を介して上記車輪代替部材１１-1、１１-2が連結される。
【００３７】
以下、図１を参照して本実施形態の作用および効果を説明する。
サーボモータ１２には、図示されない制御系が自動車７１の運転の模擬の下で求めた操舵反力を実現する数および極性のパルスが与えられる。サーボモータ１２の回動軸は、このようなパルス応じて回動し、その回動に応じて設定された回転角を保つことによって、伝達部材１３-1、１３-2を介して車輪代替部材１１-1、１１-2に上記操舵反力を与える。
【００３８】
ステアリングホイール７１ＳＨには、このようにして車輪代替部材１１-1、１１-2に与えられた操舵反力が、ハブ７１Ｈ-1、７１Ｈ-2、ラックアンドピニオン７１ＲＰ、パワーステアリング７１ＰＳおよびロッド７１Ｒを介して伝達される。
【００３９】
すなわち、ハブ１１Ｈ-1、１１Ｈ-2に本来的に取り付けられている２つの車輪に代えて上記車輪代替部材１１-1、１１-2が取り付けられる改造が施されるが、これらの車輪代替部材１１-1、１１-2と、自動車７１の運転の模擬の下で操舵反力を発生するサーボモータ１２と、ハブ１１Ｈ-1、１１Ｈ-2にその操舵反力を伝達する伝達部材１３-1、１３-2とは、何れもその自動車７１の外部に配置される。
【００４０】
このように本実施形態によれば、自動車７１の運転の模擬に応じて発生された操舵反力は、その自動車７１には、上記改造が施されても、従来例のようにエンジンルーム等の内部に改造が施されることなく、ステアリングホイール７１ＳＨに対する伝達が図られる。
【００４１】
したがって、本発明が適用された運転模擬装置は、従来例に比べて大幅に安価に実現され、しかも、自動車７１として適用されるべき自動車の多様な機種に対する柔軟な適応が可能となる。
【００４２】
なお、本発明は、本実施形態の構成に限定されず、例えば、以下の態様（Ａ）〜（Ｃ）の何れとして構成されてもよい。ここに、これらの態様（Ａ）〜（Ｃ）をそれぞれ示す図２〜図４では、既述の構成要素と機能および構成が同じ構成要素については、同じ符号を付与し、ここではその説明を省略する。
【００４３】
（Ａ）図２に示すように、伝達部材１３-1、１３-2が備えられず、かつ出力が車輪代替部材１１-1、１１-2にそれぞれ連結されると共に、既述の図示されない制御系によって並行して駆動されるサーボモータ２１-1、２１-2（フレーム７２以外の部材に固着されてもよい。）がサーボモータ１２に代えて備えられる。
【００４４】
（Ｂ）図３に示すように、ハブ７１Ｈ-1、７１Ｈ-2にそれぞれ取り付けられた２つの車輪の下部および両側部に個別に嵌合または係止し、かつ伝達部材１３-1、１３-2の一端にそれぞれ連係する部材（以下、「車輪拘止部材」という。）３１-1、３１-2が既述の車輪代替部材１１-1、１１-2に代わって備えられる。
【００４５】
（Ｃ）図４に示すように、伝達部材１３-1、１３-2が備えられず、かつ出力が上記車輪拘止部材３１-1、３１-2にそれぞれ直接連結されると共に、既述の図示されない制御系によって並行して駆動されるサーボモータ２１Ａ-1、２１Ａ-2（フレーム７２以外の部材に固着されてもよい。）がサーボモータ１２に代えて備えられた点で図３に示す構成と異なる。
【００４６】
〔第二の実施形態〕
図５は、本発明の第二の実施形態を示す図である。
図において、図１ないし図４に示すものと機能および構成が同じものについては、同じ符号を付与し、ここではその説明を省略する。
【００４７】
本実施形態と、既述の第一の実施形態との構成の相違点は、以下の点にある。
(1) 伝達部材１３-1、１３-2および車輪代替部材１１-1、１１-2が備えられず、ハブ７１Ｈ-1、７１Ｈ-2に本来的に取り付けられた２つの車輪が他の如何なる部材とも接触しない状態に保たれる。
(2) ステアリングホイール７１ＳＨの軸とロッド７１Ｒとの連結を解除する改造（以下、「連結代替改造」という。）が自動車７１に施される。
【００４８】
(3) サーボモータ１２に代わるサーボモータ１２Ａが自動車７１の車体（シャーシ）とフレーム７２とで挟まれた空間と、またはそのフレーム７２の空洞部との何れかに固定される。
(4) そのサーボモータ１２Ａの出力には、ステアリングホール７１ＳＨの軸がロッド３１を介して連結される。
【００４９】
以下、図５を参照して本実施形態の作用および効果を説明する。
サーボモータ１２Ａは、図１および図３に示すサーボモータ１２と同様に、図示されない制御部によって駆動されることによって、操舵反力の発生源として機能する。
【００５０】
このようにして発生された操舵反力は、ロッド３１を介してステアリングホール７１ＳＨに直接伝達される。
【００５１】
また、本実施形態では、自動車７１には既述の連結代替改造が施されるが、その連結代替改造は、エンジンルームに操舵力発生装置を設置する改造に比べて大幅に軽微であって、そのエンジンルーム内の余剰のスペースが不足であったり無い場合であっても、容易に実現可能である。
【００５２】
したがって、本実施形態に係る運転模擬装置は、既述の第一の実施形態と同様に、従来例に比べて大幅に安価に実現され、しかも、自動車７１として適用されるべき自動車の多様な機種に対する柔軟な適応が可能となる。
【００５３】
なお、本実施形態では、上述した連結代替改造は、ロッド７１Ｒを介してステアリングホイール７１ＳＨの軸に与えられるべきトルクに比べて、サーボモータ１２Ａによって発生される操舵反力が大幅に大きい場合には、その軸をロッド７１Ｒとロッド３１との双方に連結する改造（以下、「並連結改造」という。）で代替されてもよい。
【００５４】
また、上述した各実施形態は、四輪車の前輪と後輪との双方もしくは何れか一方には限定されず、三輪車の前輪または後輪と、二輪車の前輪との何れにも適用可能であり、例えば、二輪車の前輪に適用される場合には、図６(ａ)，(ｂ)に示すように、その前輪４１に代えてサーボモータ１２Ｂが備えられ、そのサーボモータ１２Ｂの出力が該当する二輪車のハンドル４２に連結されることによって構成されてもよい。
【００５５】
さらに、上述した各実施形態では、操舵反力の発生源は、サーボモータ１２、１２Ａ、１２Ｂ、２１、２１Ａに限定されず、自動車７１の運転の模擬の下で求められた操舵反力を所望の精度および速度で発生できるならば、如何なる動力源で代替されてもよい。
【００５６】
また、上述した各実施形態では、運転の模擬の過程で自動車７１の前進および後進を実現する動力によって車輪が駆動される場合には、図３または図４に示す拘止部材３１-1、３１-2は、該当する車輪の回動を妨げることなくその車輪に操舵反力を伝達可能であるならば、如何なる機構として構成されてもよい。
【００５７】
また、本発明は、上述した実施形態に限定されず、本発明の範囲において多様な実施形態の構成が可能であり、構成要素の全てまたは一部に如何なる改良が施されてもよい。
【００５８】
以下、本願に開示された発明の内、「特許請求の範囲」に記載しなかった発明の構成、作用および効果を「特許請求の範囲」および「課題を解決するための手段」の欄の記載に準じた様式により列記する。
【００５９】
［請求項７］  請求項３に記載の操舵反力伝達部材において、
前記自動車が有する車輪の変位および姿勢に追動可能な機構を有する
ことを特徴とする操舵反力伝達部材。
【００６０】
このような構成の操舵反力伝達部材では、請求項３に記載の操舵反力伝達部材において、前記自動車が有する車輪の変位および姿勢に追動可能な機構を有する。
【００６１】
すなわち、上記自動車のステアリングに応じて車輪の変位や姿勢が変化し得る場合であっても、そのステアリングに対する操舵反力の伝達が精度よく安定に実現される。
したがって、自動車の多様な形状、構造、寸法等と、その自動車に関して模擬されるべき運転の形態との双方に対する柔軟な適応が可能となる。
【００６２】
［請求項８］  請求項３または請求項７に記載の操舵反力伝達部材において、
前記自動車が有する複数ｐの車輪に前記操舵反力を個別に伝達する
ことを特徴とする操舵反力伝達部材。
【００６３】
このような構成の操舵反力伝達部材では、請求項３または請求項７に記載の操舵反力伝達部材において、前記自動車が有する複数ｐの車輪に前記操舵反力を個別に伝達する。
【００６４】
すなわち、運転の模擬の対象となる自動車の車輪の数に如何にかかわらず、その自動車の操舵系には、これらの車輪を介して操舵反力が伝達される。
したがって、自動車の多様な形状、構造、寸法等と、その自動車に関して模擬されるべき運転の形態との双方に対する柔軟な適応が可能となる。
【００６５】
［請求項９］  請求項３、７、８の何れか１項に記載の操舵反力伝達部材において、
前記車輪の回動に追動可能な機構を有する
ことを特徴とする操舵反力伝達部材。
【００６６】
このような構成の操舵反力伝達部材では、請求項３、７、８の何れか１項に記載の操舵反力伝達部材において、前記車輪の回動に追動可能な機構を有する。
【００６７】
すなわち、操舵反力は、自動車の車輪がその自動車の前進および後進に供される動力によって駆動される場合であっても、その駆動によって車輪が回動することによる大幅な目減りや誤差を伴うことなく、ステアリングの軸に直接伝達される。
したがって、自動車の多様な形状、構造、寸法等と、その自動車に関して模擬されるべき運転の形態との双方に対する柔軟な適応が可能となる。
【００６８】
［請求項１０］  請求項４に記載の操舵反力伝達装置において、
前記自動車の車輪の数は複数ｐであり、
前記車輪代替手段は、
前記複数ｐの車輪に個別に取り付け可能に構成された複数ｐの車輪代替手段として構成され、
前記伝達手段は、
前記複数ｐの車輪代替手段に前記操舵反力を個別に伝達する
ことを特徴とする操舵反力伝達装置。
【００６９】
このような構成の操舵反力伝達装置では、請求項４に記載の操舵反力伝達装置において、前記自動車の車輪の数は複数ｐである。前記車輪代替手段は、前記複数ｐの車輪に個別に取り付け可能に構成された複数ｐの車輪代替手段として構成される。前記伝達手段は、前記複数ｐの車輪代替手段に前記操舵反力を個別に伝達する。
【００７０】
すなわち、運転の模擬の対象となる自動車の車輪の数に如何にかかわらず、その自動車の操舵系には、これらの車輪を個別に代替する車輪代替手段を介して操舵反力が伝達される。
したがって、自動車の多様な形状、構造、寸法等と、その自動車に関して模擬されるべき運転の形態との双方に対する柔軟な適応が可能となる。
【００７１】
［請求項１１］  請求項５または請求項６に記載の操舵反力伝達装置において、
前記伝達手段は、
前記車輪の回動に追動可能な機構を有する
ことを特徴とする操舵反力伝達装置。
【００７２】
このような構成の操舵反力伝達装置では、請求項５または請求項６に記載の操舵反力伝達装置において、前記伝達手段は、前記車輪の回動に追動可能な機構を有する。
【００７３】
すなわち、操舵反力は、自動車の車輪がその自動車の前進および後進の動力によって駆動される場合であっても、その駆動によって車輪が回動することによる大幅な目減りや誤差を伴うことなく、ステアリングの軸に直接伝達される。
したがって、自動車の多様な形状、構造、寸法等と、その自動車に関して模擬されるべき運転の形態との双方に対する柔軟な適応が可能となる。
【符号の説明】
【００７４】
１１  車輪代替部材
１２，１２Ａ，１２Ｂ，２１，２１Ａ  サーボモータ
１３  伝達部材
３１  拘止部材
４１  前輪
４２  ハンドル
７１  自動車
７１Ｄ  操舵反力発生装置
７１Ｈ  ハブ
７１ＰＳ  パワーステアリング
７１Ｒ  ロッド
７１ＲＰ  ラックアンドピニオン
７１ＳＨ  ステアリングホイール
７２  フレーム
７３  揺動装置
【図１】
2012215517.tif 000003
【図２】
2012215517.tif 000004
【図３】
2012215517.tif 000005
【図４】
2012215517.tif 000006
【図５】
2012215517.tif 000007
【図６】
2012215517.tif 000008
【図７】
2012215517.tif 000009
【図８】
2012215517.tif 000010